(57)【要約】【課題】スーパースマーケット、ディスカウントストア等の店舗などの購買客に対して高い広告効果を得る方法を提供する。【解決手段】商品もしくは販売企画の広告を表示した粘着シート２ａを、サッカー台１の上面に貼着する。またステッカーの向き３ａが、四角形サッカー台１の周辺各辺４ａの長手方向と直角になるように、複数枚の粘着シート２ａを、サッカー台１の上面に貼着する。粘着シートは、サッカー台の各辺長手方向の中央に貼着したり、サッカー台の各辺長手方向の右端に寄せて貼着することもでき、サッカー台１の各辺の統一した位置に貼着することが望ましい。さらに、円形サッカー台の円周から中心部に向かって等角度間隔で、かつ、粘着シートのステッカーの方向は、円形サッカー台の円周接線と直角にになるように配置して貼着する。【選択図】  図１
2005301006.tif 000002
【特許請求の範囲】
【請求項１】
商品もしくは販売企画の広告を表示した粘着シートを、サッカー台の上面に貼着することを特徴とするサッカー台上の広告方法。
【請求項２】
商品もしくは販売企画の広告を表示したステッカーの向きが、四角形サッカー台の周辺各辺の長手方向と直角になるように、複数枚の粘着シートを、サッカー台の上面に貼着することを特徴とするサッカー台上の広告方法。
【請求項３】
前記粘着シートを、サッカー台の各辺長手方向の中央に貼着することを特徴とする請求項２に記載のサッカー台上の広告方法。
【請求項４】
前記粘着シートを、サッカー台の各辺長手方向の右端に寄せて貼着することを特徴とする請求項２に記載のサッカー台上の広告方法。
【請求項５】
前記粘着シートを、サッカー台の各辺の統一した位置に貼着することを特徴とする請求項２〜４のいずれかに記載のサッカー台上の広告方法。
【請求項６】
商品もしくは販売企画の広告を表示した粘着シートを、
円形サッカー台の円周から中心部に向かって等角度間隔で、
かつ、粘着シートのステッカーの方向は、前記円形サッカー台の円周接線と直角になるように配置して貼着することを特徴とするサッカー台上の広告方法。
【発明の詳細な説明】
【技術分野】
【０００１】
本発明は、主として食料および物品販売店（スーパーマーケット、ディスカウントストア等）などに設置してあるサッカー台（Ｓｕｃｋｅｒ  ｔａｂｌｅ：購買客が購入品を袋詰めするための専用テーブル）上に貼着した広告媒体を利用して、多数の購買客に広告する方法に関する。
【背景技術】
【０００２】
従来、スーパーマーケット、ディスカウントストア等をはじめとする各種の店舗においては、バーゲン商品や季節商品、新製品、イベント予定、バーゲン企画、懸賞募集、旅行キャンペーン等に関する広告ポスター、チラシ、ビラを店舗の窓ガラス、壁、扉、陳列棚側壁などに止着して購買客に広告することが行われている。この広告媒体としては紙製のポスター、チラシ、ビラが使われ、複数箇所を粘着テープないしは画鋲等で止着されている。
【０００３】
商品購入のためにスーパーストア、ディスカウントストア等の店舗を訪れる購買客へ広告をするため、広大な店舗の窓ガラス、壁、扉、陳列棚の側壁など、一部の場所にステッカーなどの広告媒体を止着しても、
購買者は商品の品定めに目を奪われていることや、
店内の一部しか巡回しないことも多く、このようなステッカーの広告効果は小さい。
また、店舗内の壁や窓などに止着されたステッカーに対して、購買客は陳列台の商品越しに見ることになる為ステッカー位置まで遠くなり、ステッカーを大きくしなければならない。
さらに、遠くに止着された小さなステッカーでは購買客の目を引くことは期待できず広告効果は小さく、広大な店舗において広告効果を上げるためには、多数の大きなステッカーが必要になり、ステッカーの製作コストが嵩んでいた。
【０００４】
このため、確実に購買客の目を引き、かつある程度の広告効果が定量的に把握できる広告方法が求められていた。
特許文献１には、スーパーマーケットなど店舗内における広告方法として、購買客が利用する商品搬送用の手提げ籠もしくはカートに備え付けの籠の内周面や外周面に、商品や販売企画イベントの広告を表示した広告板を装着して、店内を巡回させる広告方法が記載されている。
【特許文献１】特開平７−２１０１０５号公報
【発明の開示】
【発明が解決しようとする課題】
【０００５】
しかし、特許文献１に記載の広告方法においては、
商品搬送用の手提げ籠もしくはカートに装着された広告板は移動体に付されたものであるので、購買客がじっくりと落ちついて見られるものではなく、広告板に表示された文章の内容などを読みとれないという問題点がある。
本発明は、スーパースマーケット、ディスカウントストア等の店舗などにおいて、効果あるサッカー台上の広告方法を提供することを目的とする。
【課題を解決するための手段】
【０００６】
本発明は、店舗などに設置してあるサッカー台の上面を利用し、広告媒体として粘着シートを特定な向きに配置して貼着することにより、購買客への高い広告効果を得る方法を提供するものである。
【０００７】
すなわち、本発明の請求項１に記載のサッカー台上の広告方法は、商品もしくは販売企画の広告を表示した粘着シートを、サッカー台の上面に貼着することを特徴とする。
請求項２に記載のサッカー台上の広告方法は、
商品もしくは販売企画の広告を表示したステッカーの向きが、四角形サッカー台の周辺各辺の長手方向と直角になるように、複数枚の粘着シートを、サッカー台の上面に貼着することを特徴とする。
請求項３に記載のサッカー台上の広告方法は、請求項２において、
前記粘着シートを、サッカー台の各辺長手方向の中央に貼着することを特徴とする。
請求項４に記載のサッカー台上の広告方法は、請求項２において、
前記粘着シートを、サッカー台の各辺長手方向の右端に寄せて貼着することを特徴とする。
請求項５に記載のサッカー台上の広告方法は、請求項２〜４のいずれかにおいて、前記粘着シートを、サッカー台の各辺の統一した位置に貼着することを特徴とする。
請求項６に記載のサッカー台上の広告方法は、
商品もしくは販売企画の広告を表示した粘着シートを、
円形サッカー台の円周から中心部に向かって等角度間隔で、
かつ、粘着シートのステッカーの方向は、前記円形サッカー台の円周接線と直角になるように配置して貼着することを特徴とする。
【発明の効果】
【０００８】
本発明は、スーパーストア、ディスカウントストアを訪れる殆どの購買者が、商品代金支払い後に、購入品の袋詰めする為のサッカー台を必ず利用することに着目し、買い物が終了してレジを通過した購買者は、サッカー台において下向きで袋詰めするので、サッカー台上面は絶えず視野に入ることになり、特にサッカー台の上面においては人目を引く効果的な広告を行うことができる。
さらに、本発明広告方法は、該粘着シートをサッカー台上面において購買客が容易に正しく読み取れるように配置して貼着して広告するものであるから、購買客の目を引きやすき、広告効果が高い。
【発明を実施するための最良の形態】
【０００９】
以下、本発明の広告方法の実施形態について図面を用いて詳細に説明する。
図１は、本発明の広告方法の第１の実施形態を示す斜視図であり、
四角形サッカー台に適用したもので、４辺それぞれにおいて広告表示粘着シートを正面から読み取れるように貼着した説明図である。
図１に示すように、
スーパースマーケット、ディスカウントストア等の店舗などに設置してあるサッカー台の上面１に、商品もしくは販売企画等の広告を表示した貼着・剥離自在の粘着シート（２ａ、２ｂ、２ｃ、２ｄ）が貼着されている。
ここで、粘着シートとは、大きさ、形状によりステッカー、ラベル、ワッペンなどと呼ばれるものを含む。
【００１０】
図１に示す実施形態においては、粘着シート上には、広告（本実施形態の場合は、アルファベット文字Ａ）が表示されており、
上記各ステッカーの向き（３ａ、３ｂ、３ｃ、３ｄ）が正面になるようにして貼着されている。
すなわち、ステッカーの向き（３ａ、３ｂ、３ｃ、３ｄ）と、
サッカー台１の周辺の各辺（４ａ、４ｂ、４ｃ、４ｄ）の長手方向とが、
互いに直角になるように貼着されている。
このように、サッカー台１の複数枚のステッカーの向きが互いに直角になるように貼着することで、サッカー台の各辺（４ａ、４ｂ、４ｃ、４ｄ）に対向した購買者に対して、広告内容を正確にしかも容易に読み取れるようにすることができる。
【００１１】
広告を表示した粘着シート（２ａ、２ｂ、２ｃ、２ｄ）の貼着は、
ステッカーの向きを上記のようにすれば、サッカー台１のどの位置に貼着してもかまわない。
例えば、図１に示すように、サッカー台１の各辺（４ａ、４ｂ、４ｃ、４ｄ）の長手方向の中央に貼着することもできる。
【００１２】
図２は、サッカー台に粘着シートを貼着した第２の実施形態を示す斜視図である。
図２においては、粘着シート（２ａ、２ｂ、２ｃ、２ｄ）は、サッカー台１の右端に寄せて貼着されている。粘着シートを右端に寄せて貼着することにより、通常は買い物籠を左側に置き右側で袋詰めするので、粘着シート上に買い物籠を置くことなく、袋詰め作業の間中、粘着シート上に表示された広告をよく視認できることになる。
なお、粘着シートはサッカー台のどの位置に貼着しても良いが、貼着位置は、「右端なら全て右端」というように各辺とも統一した方が好ましい。
統一することによりサッカー台の上面が整然とした外観となり利用する購買客にとって、読み易いばかりでなく好ましい印象を与えるからである。
【００１３】
図３は、サッカー台に粘着シートを貼着した第３の実施形態を示す斜視図である。
図３においては、さらに次のような例が挙げられる。
すなわち、
サッカー台を設置する位置において、サッカー台の一辺が店舗内の壁面（又は備品など）１０に接して設置される場合は、購買客が四角形サッカー台１１の三辺側から利用できるので、壁に接していない三辺の長手方向に対して直角になるように３枚貼付する（図３（ａ）参照）。
なお、サッカー台が長尺である場合はサッカー台の長手方向が壁面１０に接して設置され、この場合は、図３（ｂ）に示すように、購買客は壁面１０に向かって袋詰め作業をすることになるので、壁に接していないサッカー台の長手方向の辺に対して直角になるように複数枚貼付する。
また、サッカー台の二辺が店舗内の壁面１０などに接して設置される場合は、購買客がサッカー台１２の二辺側から利用できるので、壁に接していない二辺の長手方向に対して直角になるように２枚貼付する（図３（ｃ）参照）。
さらに、円形サッカー台１３の場合は、全外周方向から利用できるので、９０度の間隔をおいて、各ステッカーの向きが直角になるように４枚貼付する（図３（ｄ）参照）。
【００１４】
なお、四角形サッカー台への粘着シートの貼着例である図３（ａ）〜（ｃ）においても、
円形サッカー台への粘着シートの貼着例である図３（ｄ）においても、
貼着位置は、各辺に対向してとも端からの位置を統一した方が好ましい。統一することによりサッカー台の上面が整然とした端正な外観となり利用する購買客に好ましい印象を与えるからである。
例えば、
円形サッカー台である図３（ｄ）において、例示では４枚の広告表示粘着シートの正面方向を十字に交差させ、各粘着シート（２ａ、２ｂ、２ｃ、２ｄ）が等しい間隔となるように配置している。
また、４枚以上の広告表示粘着シートを貼着する場合は、円形サッカー台の円周から中心部に向かって等角度間隔になるようにし、
その場合の粘着シートのステッカーの方向は、円形サッカー台の円周接線と直角にになるように配置して貼着する。このように貼着すると、円形サッカー台に向かった購買客は、ステッカー上の表示広告を正面として容易に正しく読み取ることができる。
【００１５】
このように円形サッカー台面に粘着シートを整然とした端正な外観となるように貼着することにより、利用する購買客に好ましい印象を与えることが出来る。
そして、広告表示根粘着シートを外円周の４方向から正面として読み取ることが出来るため、高い広告効果がえられる。
なお、図３はこれらの各場合における広告表示粘着シートを貼着する配置位置を例示したものであり、サッカー台の設置場所や粘着シートの枚数、サッカー台への粘着シートの貼着位置は、この例に限定されるものではない。
例えば、上記例示では、各辺につき１枚を貼着しているが、大きなサッカー台で辺長が長い場合は、等間隔に複数の粘着シートを貼着することもできる。
また、図３（ｄ）では、円形サッカー台に粘着シートを４枚貼着しているが、大きなサッカー台で円周長が長い場合は、等間隔に４枚以上の粘着シートを貼着することもできる。
【００１６】
本発明で用いる広告表示粘着シートとしては、材質種類、形状、大きさ、厚みなどを時に限定するものではないが、シート面上に容易に印刷でき、裏面に塗布された粘着剤は貼着・剥離が容易にできるものであれば適用できる。
粘着シートとしては、シート表面に文字や図柄などの所望の広告を印刷した表示層を有するシート状基材と、裏面に貼着・剥離自在の粘着性を有する粘着層が塗布されたもの使用できる。
シート基材としては、可撓性を有する、合成樹脂フィルム、薄板状の上質紙、アルミなどの金属箔などが挙げられる。
合成樹脂フィルムとしては、塩化ビニール、ポリエステル、ポリプロピレン、アクリル、ウレタン、ポリカーボネートなどが適用され、必要に応じて２種類以上の合成樹脂フィルム、紙、箔などをラミネートしたものも適用できる。
【００１７】
粘着層に使用される粘着剤はとしては、アクリル系粘着剤、酢酸ビニール系粘着剤、ゴム系粘着剤、ウレタン系粘着剤、シリコン系粘着剤などが挙げられる、主としてアクリル系粘着剤、特に架橋型アクリル系粘着剤が好適に使用される。
【００１８】
シート基材表面の広告文字、図柄の印刷層の上層には、インクの擦れ剥離を防止するため透明な塗装を施したもの、あるいは透明樹脂フィルムをラミネートしたものが適用できる。
特に、サッカー台上面は、購買客が、買い物籠を置き購入品を袋詰め作業するために用いられるものであるので、粘着シートは、衝撃、擦れにある程度抵抗力を有するものであることが望ましく、透明樹脂フィルムとしては、耐傷付き性の高いポリエステル樹脂、ポリプロピレン樹脂などが好適に使用される。
【００１９】
なお、前記広告方法を各種店舗において効果的に運用実施するために、広告主と広告業者の広告契約に基づき、広告業者が本発明の広告方法に用いる粘着シートの貼着を行うとともに、広告契約期間の満了時に該粘着シートを剥がすような広告運用システムとすることもできる。
【産業上の利用可能性】
【００２０】
本発明の広告方法は、従来の一般的な広告方法であるポスター、チラシ、ビラの止着に比べ、店舗を訪れる殆どの購買客が必ず利用するサッカー台上面に広告表示粘着シートを貼着することで、高い広告効果が得られ、購買客が読みやすいように貼着方向・位置に規則性をもたせることにより、さらに高い広告効果を得ることが出来る。
【図面の簡単な説明】
【００２１】
【図１】本発明の広告方法の第１の実施形態を示す斜視図であり、四角形サッカー台に適用したもので、４辺それぞれにおいて広告表示粘着シートを正面から読み取れるように貼着した説明図である。
【図２】サッカー台に粘着シートを貼着した第２の実施形態を示す斜視図である。
【図３】サッカー台の形状に応じた粘着シートの貼着の方法を示した説明図である。
【符号の説明】
【００２２】
１   サッカー台の上面
２   広告表示粘着シート
２ａ〜２ｄ  広告表示粘着シート
３ａ〜３ｄ  ステッカーの向き
４ａ〜４ｄ  サッカー台の各辺
１０  店舗内の壁面
【図１】
2005301006.tif 000003
【図２】
2005301006.tif 000004
【図３】
2005301006.tif 000005